(57)【要約】      （修正有）【課題】住宅などの狭い階段や廊下を、担架に病人等の要介護人を乗せて移動しようとする場合、担架の長さが移動の障害となり、階段の高低差が移動の障害となり、階段の踊り場や通路のコーナーなどが、通過の妨げとなる。そうした狭い階段や通路において使用できるコンパクトな担架でありながら、かつ介護者が狭く急な階段においても移送の労力を軽減し、双方が安全で容易に移動のできる担架が求められている。【解決手段】担架シートＳを弛ませて架設し、要介護人の身長差に対応できるように、枕可動フレームＦ３を設置し、階段の高低差にも拘らず担架を安全にそして労務を軽減して移送できるように複数の把持部Ａ１、Ａ２、Ｃａと伸縮可能に可動把持部Ａ３、Ｃｂを設置して、室内や廊下そして道路で車椅子としても移動できるように、脚にキャスターＴ１を設置した。【選択図】図２
2011147482.tif 000002
【特許請求の範囲】
【請求項１】
人体の肩幅の間隔で隣接し平行する２本のパイプからなる担架本体フレームと、フレームの前後でこれに接合する２本のパイプからなる支持フレームとで構成した長方形の担架本体と、
この担架本体フレームの一方のパイプ空洞に、スライド自在に挿入した２本のスライド棒とその先端間に枕を中央部に固定した連結棒を連結してＵ字形状とした枕可動フレームと、
この枕可動フレームに固定した枕の左右外側に、平行する２本のパイプの一端を枕可動フレームに回転自在に取り付けた吊り手フレームと、
要介護人の臀部側に位置する担架本体フレームと支持フレームとの連結部に、この担架本体を支持するように２本の前脚フレームと２本の後脚フレームとを固定し、２本の後脚フレームのそれぞれ下端にはキャスターを取り付け、２本の前脚フレームには、２本のスライド棒間に前記支持フレームと平行に連結棒を連結するとともにスライド棒先端にキャスターを取り付けて全体がＵ字形状の脚可動把持部をスライド自在に挿入し、
前記２本の支持フレーム間には担架用シートを弛みをもって張り渡した階段用担架。
【請求項２】
吊り手フレームの２本のパイプには、枕可動フレームと平行に複数本の吊り手把持部を梯子状に連結した請求項１記載の階段用担架。
【請求項３】
前脚フレームの２本には、前記支持フレームと平行に脚把持部を連結した請求項１記載の階段用担架。
【発明の詳細な説明】
【技術分野】
【０００１】
本発明は、病人等の要介護人を移送する際、狭い住宅の階段や廊下そして道路などで使用する担架に関するものである。          
【背景技術】
【０００２】
病人等の要介護人の移送には、救急車などの担架、病院内でのストレッチャー、また一般に使用されている屋内外で使用する車椅子、あるいはリクライニング車椅子などがある。
【０００３】
こうした通常の担架または車椅子は、平面や緩やかな坂又は小さな段差の場所での移送においては有効な移送手段であるが、急な段差や屋内の階段での使用に特化して供されているものではない。階段での移動は、階段用スロープを使用するか、あるいは前後又は左右からの人力で持ち上げて移動しているのが現状である。
【０００４】
住宅の階段のような狭く急勾配の場所では、通常の担架は長くて移送困難で、介護者を前後左右に配置して車椅子を階段移動させることは困難である。
【０００５】
また、重病人や意識喪失した人、あるいは骨折した人や、身体に拘縮のある人、また触れるだけで全身に痛みを発症する人などを、住宅などの狭い階段を、人力で抱えたり背負ったりして移送することは、困難である。こうした要介護人を腕力のみで抱えようとすると、骨粗しょう症などの人に骨折や、患部の圧迫などによるリスクを背負うことになる。
【０００６】
こうした要介護人の階段での移送に関するものとして、さまざまな担架が考案されている。しかし、階段での移送が、要介護人にとってもまた階段を移送する介護者側にとっても労務を軽減し安全で容易に使用できる担架がない。
【先行技術文献】
【特許文献】
【０００７】
【特許文献１】特許広報第２７９４２７８号
【特許文献２】特許広報第３１７２６８２号
【特許文献３】特許広報第３４９２９８２号
【発明の概要】
【発明が解決しようとする課題】
【０００８】
解決しようとする課題は、急病人等の要介護人の移送作業において、狭く勾配の急な階段においても、要介護人を担架上で安全に寝たままの楽な姿勢を保って身体的負担をかけることなく、そして移送する側の介護者の労務を軽減しかつ安全でより容易に移送することである。
【０００９】
担架は、狭い階段等の場所で使用できるものでありながら、同時に室内や廊下あるいは道路上においても使用でき、かつそのまま車に移乗できるものであるのが良い。
【００１０】
要介護者を寝たままかそれに近い姿勢で移送する際、住宅等の廊下や踊り場での方向転換のためには、コンパクトで小型でありながら担架としての機能を満たすものであることが要求される。
【００１１】
介護者が、狭い階段で介護者を乗せた担架を移動するには、階段の上下から二人での作業となるので、階段の高低差による不安定な位置の二人の作業が容易で安全にできる構造の担架が求められる。この安全で容易な作業を実現するのは、階段という不安定な場所で、どのように担架を安定させる把持部を設けるかということである。
【００１２】
コンパクトで小型の担架でありながらも、移送する要介護人のさまざまな身長差などの体型に対応できると同時に、担架そのものが介護人にとって操作しやすいものであると同時に、担架の構造が要介護人の安全を確保しつつ、介護者の移送負担を軽減するものでなければならない。
【課題を解決するための手段】
【００１３】
当発明では、アルミなどの軽金属パイプまたは棒からなるフレームで構成し、担架をコンパクトに短いものにして、図５のように膝を折りたたんで要介護人が担架上に寝ても、弛ませて張った担架シートと四方のフレームが枠内で安定した姿勢で要介護人を担架上に保つと同時に、急な傾斜と高低さのある階段で図３のように担架が前方に転倒しないで安置できるように、フレーム配置角度をθ１をとした。
【００１４】
担架サイズを通常の大人の座高程度の半分程度まで短くし、それでいて要介護人を担架上に安全に保つために、図５のように支持フレームＦ１と支持フレームＦ２間に、シートＳを弛ませてハンモック状に張った。弛んだシートＳと支持フレームＦ１は、要介護人を臀部で滑り落ちを防止し、左右の担架本体フレームＦは左右への転落を防止する。また担架本体を脚Ｃで立てた場合、要介護人を座った状態の姿勢で保ち、座椅子もしくは車椅子としても使用できるようにした。
【００１５】
本発明は、階段などの急な勾配のある場所においも、要介護人を寝たままの状態で保ち階段移動できるようにすると同時に、介護者の移送手段を安全で容易にするために、担架本体に脚Ｃとそして吊り手Ａ４を設置し、脚Ｃには脚把持部Ｃａ、脚可動把持部Ｃｂそして吊り手Ａ４には吊り手把持部Ａ１、Ａ２、と吊り手可動把持部Ａ３を設けた。
【００１６】
階段用担架の脚Ｃに４輪のキャスターを付けて、室内や廊下では座椅子としての使用だけでなく、車椅子としても走行できるようにした。
【００１７】
階段での移送時に、階段上の介護者の階段用担架の移送作業をより容易にし、階段の段差がもたらす介護者の労力を軽減するための複数の把持部のうち、吊り手可動把持部Ａ３、脚可動把持部Ｃｂを伸縮可動構造とした。
【００１８】
各把持部については、移動中の担架の左右のアンバランスを把持部の位置でバランスを矯正できるように、枕幅以上で肩幅である担架幅相当の長さを持たせた。
【００１９】
枕可動フレームＦ３に連結した吊り手Ａ４の最初の一段目の吊り手把持部Ａ1は、枕Ｍ上の要介護人の頭や顔に当たらない程度で階段蹴上げ一段相当分離し、二段目の把持部Ａ２は吊り手把持部Ａ１からさらに階段蹴上げ一段分相当離し、吊り手可動把持部Ａ３は吊り手把持部Ａ２から階段蹴上げの２段分相当分の長さまで、子管式スライド棒Ｐで伸ばすことができるように連結する。吊り手Ａ４の吊り手可動把持部Ａ３は、枕可動フレームＦ３から階段蹴上げ４段分相当の上方の位置、すなわち介護者の平均的な股関節の高さまで伸び、吊り手４の長さは約９０ｃｍ程度とする。
【００２０】
吊り手Ａ４を階段で使用する場合は、ほぼ垂直で階段側に少し傾斜して立て、枕Ｍのネジ穴Ｎ1と吊り手フレームＡの固定ネジＮで固定して、担架を略垂直に階段傾斜に沿って移動する。
【００２１】
支持フレームＦ１に設置した前脚フレームＣ1の脚把持部Ｃａは、支持フレームＦ１から階段蹴上げ一段分相当の間隔をあけて、そして脚可動把持部Ｃｂは、把持部Ｃａよりもさらに階段蹴上げ一段相当分の長さまで子管式構造のスライド棒Ｐで下方へ伸ばすことができる。前脚フレームＣ１のスライド棒Ｐで伸ばした脚可動把持部Ｃｂは、支持フレームＦ１から階段蹴上げ二段分相当の位置まで下方に、そしてブレーキ付きキャスターの階段踏み面二段分前方へ伸びる。図面では記していないが、当該子管式スライド棒Ｐには複数のネジ穴Ｎ１があり、前脚フレームＣ１に設置した固定ネジでスライドして固定できる。
【００２２】
コンパクトで短くした階段用担架でありながら、身長の大きな人にも対応して使用できるように、枕Ｍを固定した枕可動フレームＦ３を担架本体フレームＦの空洞に挿入した子管式スライド棒Ｐでスライドして伸ばせることで、対応できるようにした。図面では記していないが、当該子管式スライド棒Ｐには固定ネジＮ用の複数のネジ穴Ｎ１があり、担架本体フレームＦに設置した固定ネジで担架の身長方向での長さを調整して固定する。
【００２３】
要介護者の担架上での背中への圧点が分散できるように、担架のシートＳは、布など適度な柔軟性がありかつ強靭で汚れ防止加工した素材を使用するのがよい。また同等の素材のネット等でも良い。
【００２４】
シートＳを、図５のように要介護人の腰が本体フレームから沈むように弛ませて張ることによって、支持フレームＦ１が要介護人の滑り落ちを防止するように、左右の担架本体フレームＦが、要介護人の左右で臀部から肩までを囲う程度に弛ませた。
【００２５】
担架上で要介護人の頭部及び身体を安定させるために、枕ＭをＵ字形とした。
【００２６】
図面には記していないが、担架上で移動中の要介護人の不用意な動きと転落防止のために、一対の担架本体フレームＦに着脱できるように、胸部から腹部でシートベルトを設置する。
【００２７】
図面には記していないが、前輪であるキャスターＴ１は自在キャスターとし、後輪であるキャスターＴ２は、階段踏み面に乗り上げている間は、回転して階段から脱輪しないようにブレーキ付きキャスターとした。
【００２８】
図面には記されていないが、吊り手Ａ４は枕可動フレームを軸として回転してシートＳの背面では紐などで固定できるようにし、また吊り手Ａ４と脚Ｃは、収納時には担架本体から着脱可能にした。
【発明の効果】
【００２９】
コンパクトな担架とし架設したシートＳを弛ませることで、ハンモックのように要介護人を安定して保持できるので、通常の担架では移送が不可能であったような階段など狭い場所での移動や方向転換が可能になったばかりでなく、通常の担架では滑り落ちてしまう程に担架を前に傾斜させて、すなわち座椅子のようになるまで傾けることができるので、担架全長よりもさらに狭い場所での移送が容易となる。
【００３０】
図５のように、担架シートＳを弛ませたことで要介護人の身体をフレームで前後左右から囲うようになるばかりでなく、あたかもハンモックのように宙吊りとなるので通常の担架や車椅子の前後左右の揺れに対して、要介護者の身体はシートＳに密着してより安定させて移送することができる。
【００３１】
本発明は、介護者が階段の上から下から階段用担架要介護人を移送する際に、複数の介護者用把持部フレームを設け、子管式構造のスライド棒Ｐの長さを任意に調節することで、介護者は、階段用担架の階段下からは、前脚フレームＣ１の前把持部Ｃａや前脚可動把持部Ｃｂを、また階段上からは吊り手Ａ４の吊り手把持部Ａ１、Ａ２、そして吊り手可動把持部Ａ３を、介護者の腰の位置と腰から階段一段分下の位置の範囲で把持部を上下に操作することができる。このことによって介護者は、必要以上に腰を深く屈めたりせず、あるいは無理な背伸びなどの姿勢を強いられことなく移送作業ができるので、介護者の無理な労動を軽減し作業を安全なものにすることができる。
【００３２】
本発明は、介護者が階段の上から下から階段用担架に要介護人を乗せて移動する際に、複数の介護者用把持部を設け、子管式構造のスライド棒の長さを任意に調節することで把持部を使い分けができるので、介護者は平地から階段のような傾斜や大きな段差のある場所においても、要介護人をほぼ安定した一定の状態に保った状態で移送することができる。
【００３３】
吊り手Ａ４を枕Ｍ外側面のネジ穴Ｎ１とフレームＡの固定ネジＮで固定することで、移送の際に階段上で担架本体の前後のぶれ、あるいは要介護人の頭部側で介護者が吊り手を持ち上げ過ぎることによる担架の前方への転倒を防止することができるだけでなく、略垂直移送の際に前後への動きの調節が可能である。
【００３４】
本発明は、把持部に把持しやすい太さと長さを持たせたことで、担架の左右のバランスを矯正して保持し、担架を安定させることができる。
【００３５】
本発明は、シートＳをハンモックのように架設したことで、担架シートＳが移送中の前後左右の揺れを分離し吸収することができるので、車中においての急ブレーキや悪路の横揺れになどに対し、要介護人に優しい担架移送手段を提供することができる。
【００３６】
脚Ｃは、着脱可能なので、より狭い場所での担架移動が可能となる。
【００３７】
介護者が平面で担架を操作する場合は、後脚フレームＣ２の２輪のキャスターで担架を水平に維持したまま移動することが可能で、介護者１名による担架操作が可能である。
【００３８】
担架シートＳを弛ませたことで、要介護人の大腿部と腰から肩までの広い面積がシートＳと密着するので、担架上の要介護人の体圧点を分散させることができる。
【００３９】
前脚フレームＣ１のスライド棒の長さを調整することで、担架本体を座椅子状態から後方にリクライニングし、任意のリクライニング角度を選択できる。
【００４０】
枕ＭをＵ字形としたことで、要介護人の頭部を安定するのみでなく、体全体の不用意な動きを防止でき、担架の中央に保持し易くなる。
【図面の簡単な説明】
【００４１】
【図１】本階段用担架の全体図である。
【図２】図１をスライド棒で伸ばした使用図である。
【図３】各フレームの取り付け角度の配置図である。
【図４】吊り手を、ネジで固定した図である。
【図５】担架を水平に使用した時の説明図である。
【図６】階段で階段用担架を移送する説明図である。
【発明を実施するための形態】
【００４２】
本担架は、１対の担架本体フレームＦと支持フレームＦ１と支持フレームＦ２とからなる長方形で、支持フレームの外側で担架本体フレームＦのパイプ空洞にスライド棒Ｐを挿入して子管式構造となるスライド棒Ｐの端部に接合した枕可動フレームＦ３で、Ｕ字形状を為して連結した構造からなる長方形である。その支持フレームＦ１と支持フレームＦ２を支点として当該フレームを幅とするシートＳを、ハンモックのように弛みを持たせて架設する。
【００４３】
さらに枕可動フレームＦ３には吊り手Ａ４を、そして臀部側の支持フレームＦ1に脚Ｃを設置し、それらが一体となって階段用担架を構成する。但し、吊り手Ａ４は階段の傾斜に応じて、枕Ｍの外側面ネジ穴とフレームＡの固定ネジで垂直か階段側に傾斜した角度で固定でき、枕可動フレームＦ３を軸として回転することが可能で、図面には記していないが、シートＳの下部へ回転収納し紐等で固定し、枕可動フレームＦ３から着脱できるものとする。
【００４４】
図面には記していないが、脚Ｃも収納時などに、着脱できるものとする。
【００４５】
本担架は、図５のようにシートＳで、要介護人の大腿部と腰が支持フレームＦ１から沈み込む程度の深さに、そして支持フレームＦ２では肩を支持し、枕可動フレームＦ３では頭部を支持するようなコンパクトな構成である。
【００４６】
本担架は、脚Ｃを設けることで座椅子となり、またキャスターＴ1、Ｔ２を設置することによって車椅子となる。また前脚フレームＣ１のスライドフレームの長さを調節し固定することで、担架本体フレームＦを後方へ倒してリクライニングできる。
【００４７】
本担架の枕可動フレームＦ３に接続した吊り手Ａ４の長さは、子管式構造のスライド棒Ｐをスライドすることで、可動把持部Ａ３の長さを調節し固定できるように連結されている。可動把持部Ａ３は、枕可動フレームＦ３から階段蹴上げの４段分相当まで階段上方へ伸びる構成である。
【００４８】
担架臀部側の支持フレームＦ1には脚Ｃがあって、脚を構成する一対の前脚フレームＣ１、後脚フレームＣ２の下端には、それぞれ一対のキャスターＴ１、ブレーキ付きキャスターＴ２を設置する。
【００４９】
吊り手Ａ４の各把持部フレームの太さは、直径にして３ｃｍ前後程度、長さは枕Ｍ幅である約３０ｃｍのパイプからなる。
【００５０】
一対の前脚フレームＣ１には把持部Ｃａが連結され、そして前脚フレームＣ１のバイプ空洞にスライド棒Ｐを挿入して、その端部に脚可動把持部Ｃｂが連結されていて、更にその端部にはキャスターＴ1が連結されている。把持部フレームの太さは、直径にして３ｃｍ前後程度、長さは約５０ｃｍとする。
【００５１】
担架シートＳの幅は、支持フレームＦ幅相当の約５０ｃｍとする。
【００５２】
枕可動フレームＦ３から伸ばした可動把持部Ａ３までの吊り手Ａ４の全長は、約９０ｃｍとする。
【００５３】
担架本体フレームＦの長さＬ１を、約８０ｃｍとする。
【００５４】
前脚フレームＣ１のスライド棒を伸ばさない時、キャスターＴ１先端までの長さＨ１を約３６ｃｍする。座椅子または車椅子として使用する場合に、容易に座ることのできる高さとした。
【００５５】
前脚フレームＣ１の脚把持部Ｃaは、支持フレームＦ１から階段蹴上げ１段分相当分約２２ｃｍ離して設置する。脚可動把持部Ｃｂは、子管式構造のスライド棒をスライドして伸ばすことによって階段蹴上げ一段分約２２ｃｍ相当更に伸びて、後脚フレームからθ２の角度約３９°の方向で、支持フレームＦ1から約４４ｃｍ、そしてブレーキ付きキャスターから階段踏み面二段相当階段から離れて伸びる。
【００５６】
担架の後脚フレームＣ２のブレーキ付きキャスターＴ２先端接地点までの長さを、約５３ｃｍとする。
【００５７】
本担架を側面から見た図３で、一対の本体フレームＦと一対の前脚フレームＣ1と一対の後脚フレームＣ２との配置構成は、支持フレームＦ１を支点とすると、角度θ１はおよそ１０１°で連結される。但し角度θ１は、階段傾斜角度が大きくなると、担架を階段上でブレーキ付きキャスターと枕可動把持部の二点支持で安定させるために必然的に大きくなる。
【００５８】
吊り手Ａ４の吊り手把持部Ａ１は、使用時には要介護人の頭部上に位置するので、介護者が把持部を握っても頭部や顔面と接触しないように、枕可動フレームＦ３から相当な距離を設けて設置する。
【００５９】
前脚フレームＣ１の子管式構造からなるスライド棒Ｐの下端に設置されたキャスターＴ１は、スライドして伸ばした後の前脚フレームＣ１の全長であるキャスターＴ１の接地点までのＨ２は、約５８cmである。
【００６０】
吊り手可動把持部Ａ３、前脚可動把持部Ｃｂ、及び枕可動フレームＦを連結する複数のネジ穴Ｎ１を有するスライド棒Ｐは、それぞれの棒の長さにおいてスライドして、各フレームの固定ネジＮとネジ穴で固定が可能である。
【００６１】
枕Ｍは、移動時の要介護者の頭部を安定し、かつ頭部を回転させても要介護者の鼻が吊り手フレームＡに触れない程度の全長約３０ｃｍ幅を有し、中程中央がＵ字形状に窪んだ形態である。
【００６２】
その他の形態。パイプの材質はカーボングラス材でも良く、長さ、シートＳの幅、脚の長さや取り付け角度θ１及びθ２は、階段傾斜５０度程度の住宅用階段で使用することをモデルとして示したものであるので、座椅子や車椅子あるいはリクライニングして使用できる範囲であれば、担架本体フレームＦの長さ、脚Ｃのフレームの長さ、取り付け角度θ１、θ２は、原則的に階段の傾斜角度、蹴上げや踏み面のサイズに応じた担架として、また子管式構造のスライド棒の固定方法は変更が可能である。
【実施例１】
【００６３】
本例は、本担架が階段途上にある場合の実施例である。図２のように、吊り手Ａ４の可動把持部Ａ３をスライドして伸ばし、枕Ｍの外側面のネジ穴Ｎ１と吊り手フレームＡの固定ネジＮで、図６のように要介護人の頭上、階段蹴上の約４段分の垂直上から少し階段側に傾いた位置で固定する。吊り手可動把持部Ａ３の位置は、階段上側で要介護人の頭部が位置する階段踏み面から、一段上に足を置いて直立する介護者が、姿勢を伸ばして腰の高さで吊り手可動把持部Ａ３を把持する高さである。介護者のこの姿勢は、担架を下から上に移動した直後の姿勢であり、担架をこれから下へと移動する直前の姿勢である。すなわち階段用担架を移動する場合の介護者の基本動作は、把持部の位置を腰の高さから階段蹴上にして一段分相当の下の間約２２ｃｍ程度の範囲で、階段１段差においてブレーキ付きキャスターと要介護人の頭部を階段の角にぶつけないように略垂直移動することとなる。介護者は、腰を曲げ過ぎずまた伸ばし過ぎず無理のない動きで、二名の介護者の呼吸が合えば、階段を複数段一気に上下移送することもできる。
【００６４】
同様に、介護者が階段用担架を下から支える場合は、前脚フレームＣ１の可動把持部Ｃｂが、支持フレームＦ１の下方約４４センチ離れて、ブレーキ付きキャスターから階段踏み面の二段相当分水平前方で、階段下側の介護者が直立した時の腰の位置に至り、介護者はブレーキ付きキャスターから階段差４段下方の踏み面に両足で立つ。介護者はその姿勢から階上へは片足を1段上げて足の力と腕の力で登り、階下へは片足を1段下げて足の力と腕の力で把持部を操作して担架を上下へ、それぞれ略垂直移送する。
【００６５】
吊り手把持部の長さは約３０ｃｍ、脚把持部長さは約５０ｃｍであるので、把持する位置を左右に選択することで担架の左右のアンバランスを調整することができる。
【００６６】
担架脚Ｃは、図３のように、前脚フレームＣ１と後脚フレームＣ２を角度θ２で、後脚フレームＣ２と本体フレームＦにおいては角度θ１で、座椅子としても安置できるように連結した。階段途上で担架をブレーキ付きキャスターＴ２で階段踏み面に着地させた時、担架上の要介護人の重心位置が、ブレーキ付きキャスターＴ２接地点垂直上から要介護人の頭部階段側に位置するような角度にθ１とする。このことによって、ブレーキ付きキャスターＴ２と枕可動フレームの２点支持で、担架を階段上で安置することができるので、階段を滑り落ちることは無い。
【００６７】
階段登り始めにおいて階段上側の介護者は、枕可動フレームＦ３を把持したままブレーキ付きキャスターＴ２を転がして階段３段目に枕可動フレームＦ３もしくは枕を接地する。この時点で脚部側の介護者は、ブレーキ付きキャスターＴ２にブレーキをかける。担架は前記角度θ１によってその状態で階段に支持されて安定しているので、この時に吊り手可動把持部Ａ３をスライドして、階段上側の介護者は足を要介護人の頭部の位置する階段踏み面からさらに１段上に立脚して直立した時に、腰の位置に来るように伸ばす。その後介護者は、要介護者の更に１段上に立脚し腰を少し屈めた姿勢で可動把持部Ａ３を把持し、1段上へ引き上げる。階段下側の介護者は、支持フレームＦ１を把持して最初の階段１段目を、介護者両名がタイミングを合わせて担架を略垂直に上げる。この時要介護人の頭部は、１段登って階段上の介護者の足から１段下の階段に着地する。階段上の介護者は同様の動作を繰り返す。階段下の介護者は次に把持部Ｃaを把持して持ち上げ、さらにスライドして伸ばした把持部Ｃｂを操作して、階段下の介護者が少し腰を屈めて把持する位置から、肢と背筋を伸ばすようにして階段1段上へ持ち上げる。
【００６８】
階段上踊り場に到達した介護者は、可動把持部Ａ３を階段１段分短縮して、さらにＡ２、Ａ１へと把持部を持ち変えて担架を引き上げ、最終的に枕可動フレームＦ３を支持して、階段上踊り場に担架の後脚のブレーキ付きキャスターを着地させる。その時階段下側の介護者は、可動把持部Ｃｂをスライドして前脚を短縮し、ブレーキ付きキャスターのブレーキを解除する。階上の介護者はフレームＦ３を支持してキャスターを転がして移動し、その後は４輪の車椅子として階上で移動させてもよい。
【００６９】
吊り手Ａ４を、枕側面の固定ネジで担架本体と固定できるようにしているのは、階段移動中の担架を安定するためである。階段の上の介護人の操作が担架を持ち上げすぎることによって担架のバランスを崩し前方への転倒を防止するためには、吊り手Ａ４は持ち上げるだけでなく、上がり過ぎを抑制する必要もあるからである。
【００７０】
吊り手Ａ４は、平面での移送や車椅子での使用の場合では、担架操作の妨害となることがないように、図５のようにシートＳの裏面に回転収納し、紐等で固定する。
【００７１】
子管式構造のスライド棒の複数のネジ穴Ｎ１は、要介護人や介護者のそれぞれの身長や体形に合わせて、適切な可動把持部の位置を選択するためのものである。
【００７２】
介護者は、自らの身長などを考慮してスライド棒Ｐをスライドして可動把持部を調節し、固定ネジＮと任意のネジ穴Ｎ１で、介護者が担架を上下に操作するのに最も力の入れ易い位置を選択できる。
【００７３】
要介護人の身長に合わせて、枕可動フレームＦ３の子管式スライド棒Ｐをスライドして枕に要介護人の頭部を乗せて、本体フレームＦの固定ネジＮとネジ穴Ｎ１で枕可動フレームＦ３を固定する。
【実施例２】
【００７４】
本例は、脚Ｃの４輪のキャスターを使用して室内や廊下それに道路などで、階段用担架を座椅子または車椅子として使用するものである。この場合は、介護者は要介護人を座椅子または車椅子のようにして乗せて、担架として使用する場合は前後二名の介護者を要したが、一人の介護者で枕可動フレームＦ３を把持して操作することが可能である。
【００７５】
前脚フレームＣ１のスライド棒を、スライドして伸ばし固定することで、座椅子または車椅子から後方へリクライニングした座椅子または車椅子のようにして使用できる。また、リクライニングする好みの角度に調節ができる。
【実施例３】
【００７６】
本例は、後輪のブレーキ付きキャスターＴ２を使用して、室内や廊下それに道路などで、担架本体をほぼ水平にしたまま、移送する実施例である。この場合は、介護者は要介護人を座椅子状態から担架のように寝かせて乗せて、一人の介護者が、枕可動フレームＦ３を把持し、前輪のキャスターを浮かせまま一ブレーキ付きキャスターＴ２を転がして二輪車として担架を操作する。
【産業上の利用可能性】
【００７７】
担架を必要とする要介護人は、身体が骨格的に虚弱であったり、意識がなかったりして、自力で移動できない。こうした場合、家屋内の狭い通路や階段での移送は、階段が急勾配であることによって、通常の長さでは担架の水平が維持できない場合がある。担架が使用できない場合は、背負うなどの方法による外にはないのが実情であるが、身体に拘縮がある場合はそれすらも不可能な場合があるだけでなく、要介護人に傷病上のリスクを強いることになる場合がある。
【００７８】
要介護人である患者等は、救急以外にも日常てきな通院や通所など、介護ヘルパーや家族の操作で階段を移動することを望んでいる。しかしながら、日本家屋のような狭い階段で、介護者が安全に操作できると供に要介護人にとっても安心して移送を受ける担架がないので、通院のためですら外出を控えているのが実情である。
【００７９】
老人の在宅介護が増加した結果、自力で階段を移動できない要介護人や急患者等が、狭い廊下や階段上の二階で居住していることが増加している。日本の住居環境では階段に簡易エレベーターなどを設置することもできず、階段での移動リスクは、今後も増大するということができる。
【００８０】
患者等要介護人の階段移動の安全性、移送を担う介護者の労務負担の軽減することのできる担架として考案されたのが、本発明の階段用担架である。この階段用担架は、階段で使用できるばかりでなく、座椅子もしくはリクライニング車椅子として使用し、リフトやスロープなどを備え、車椅子などの固定装置を備えた介護車両へそのまま乗車することで病院へ直行することができる。これは、要介護人にとっても介護者にとっても、階段から車両までの安全快適な移送ツールである。
【符号の説明】
【００８１】
Ｆ            担架本体フレーム
Ｆ１、Ｆ２    支持フレーム
Ｆ３          枕可動フレーム
Ｆ４          担架本体
Ａ            吊り手フレーム
Ａ１、Ａ２    吊り手の把持部
Ａ３          吊り手可動把持部
Ａ４          吊り手
Ｃ            脚
Ｃ１          前脚フレーム
Ｃ２          後脚フレーム
Ｃａ          脚把持部
Ｃｂ          脚可動把持部
Ｔ１          キャスター
Ｔ２          ブレーキ付きキャスター
Ｐ            スライド棒
Ｎ            固定ネジ
Ｎ１          ネジ穴
Ｓ            担架シート
Ｍ            枕
Ｌ１          担架本体の長さ
Ｌ２          担架の全長
Ｈ１、Ｈ２    前脚の長さ
θ１、θ２    角度
【図１】
2011147482.tif 000003
【図２】
2011147482.tif 000004
【図３】
2011147482.tif 000005
【図４】
2011147482.tif 000006
【図５】
2011147482.tif 000007
【図６】
2011147482.tif 000008
【手続補正書】
【提出日】平成22年1月20日(2010.1.20)
【手続補正１】
【補正対象書類名】特許請求の範囲
【補正対象項目名】請求項１
【補正方法】変更
【補正の内容】
【請求項１】
人体の肩幅の間隔で隣接し平行する２本のパイプからなる担架本体フレームと、フレームの前後でこれに接合する２本のパイプからなる支持フレームとで構成した長方形の担架本体と、この担架本体フレームの一方のパイプ空洞に、スライド自在に挿入した２本のスライド棒とその先端間に枕を中央部に固定した連結棒を連結してＵ字形状とした枕可動フレームと、この枕可動フレームに固定した枕の左右外側に、平行する２本のパイプの一端を枕可動フレームに回転自在に取り付けた吊り手フレームの一方のパイプ空洞に、スライド自在に挿入した２本のスライド棒とその先端間に吊り手可動把持部を連結してＵ字形状とした吊り手フレームと、要介護人の臀部側に位置する担架本体フレームと支持フレームとの連結部に、この担架本体を支持するように２本の前脚フレームと２本の後脚フレームとを固定し、２本の後脚フレームのそれぞれ下端にはキャスターを取り付け、２本の前脚フレームには、２本のスライド棒間に前記支持フレームと平行に連結棒を連結するとともにスライド棒先端にキャスターを取り付けて全体がＵ字形状の脚可動把持部フレームを設置して、前記各スライド棒はスライドが自在でかつ固定が可能なようにして挿入し、前記２本の支持フレーム間には担架用シートを弛みを持たせて張り渡した階段用担架。
【手続補正書】
【提出日】平成22年9月7日(2010.9.7)
【手続補正１】
【補正対象書類名】明細書
【補正対象項目名】全文
【補正方法】変更
【補正の内容】
【発明の詳細な説明】
【技術分野】
【０００１】
本発明は、病人等の要介護人を移送する際、狭い住宅の階段や廊下そして道路などで使用するのに適した担架に関するものである。          
【背景技術】
【０００２】
病人等の要介護人の移送には、救急車などの担架、病院内でのストレッチャー、また一般に使用されている屋内外で使用する車椅子、あるいはリクライニング車椅子などがある。
【０００３】
こうした通常の担架または車椅子は、平面や緩やかな坂又は小さな段差の場所での移送においては有効な移送手段であるが、急な段差や屋内の階段での使用に特化して供されているものではない。階段での移動は、階段用スロープを使用するか、あるいは前後又は左右からの人力で持ち上げて移動しているのが現状である。
【０００４】
しかし、住宅の階段のような幅狭く急勾配の場所では、通常の担架は長くて移送困難であり、また介護者を車椅子の前後左右に配置して階段移動させることも困難である。
【０００５】
また、重病人や意識喪失した人、あるいは骨折した人や、身体に拘縮のある人、また触れるだけで全身に痛みを発症する人などを、住宅などの狭い階段を、人力で抱えたり背負ったりして移送することは、困難である。こうした要介護人を介護者が腕力のみで抱えようとすると、骨粗しょう症などの人に骨折や、患部の圧迫などによるリスクを背負うことになる。
【０００６】
こうした要介護人の階段での移送に関するものとして、さまざまな担架が考案されている。しかし、階段での移送が、要介護人にとってもまた階段を移送する介護者側にとっても労務を軽減し安全で容易に使用できる担架がないのが実情である。
【先行技術文献】
【特許文献】
【０００７】
【特許文献１】特許第２７９４２７８号
【特許文献２】特許第３１７２６８２号
【特許文献２】特許第３４９２９８２号
【発明の概要】
【発明が解決しようとする課題】
【０００８】
解決しようとする課題は、急病人等の要介護人の移送作業において、狭く勾配の急な階段においても、要介護人を担架上で安全に寝たままの楽な姿勢を保って身体的負担をかけることなく、そして移送する側の介護者の労務を軽減しかつ安全でより容易に移送することである。
【０００９】
担架は、狭い階段等の場所で使用できるものでありながら、同時に室内や廊下あるいは道路上においても使用でき、かつそのまま車に移乗できるものであるのが良い。
【００１０】
要介護人を寝たままかそれに近い姿勢で移送する際、住宅等の廊下や階段の踊り場での方向転換のためには、コンパクトで小型でありながら担架としての機能を満たすものであることが要求される。
【００１１】
介護者が、狭い階段で要介護人を乗せた担架を下から上また上から下へと移動させるには、階段の上下から二人での作業となるので、階段の高低差による不安定な位置の二人の作業が容易で安全にできる構造の担架が求められる。この安全で容易な作業を実現するのは、階段という不安定な場所で、どのように担架を安定させる把持部を設けるかということである。
【００１２】
コンパクトで小型の担架でありながらも、移送する要介護人のさまざまな身長差などの体型に対応できると同時に、担架そのものが介護者にとって操作しやすいものであると同時に、担架の構造が要介護人の安全を確保しつつ、介護者の移送負担を軽減するものでなければならない。
【課題を解決するための手段】
【００１３】
当発明では、アルミなどの軽金属パイプまたは棒からなるフレームで構成し、担架をコンパクトに短いものにして、図５のように膝を折りたたんで要介護人が担架上に寝ても、弛ませて張った担架シートと四方のフレームが枠内で安定した姿勢で要介護人を担架上に保つと同時に、急な傾斜と高低さのある階段で図３のように、後脚フレームと、また上側の階段角で接触する枕フレームの２点支持で担架が前方に転倒しないで静止できるように、担架フレームと後脚フレームとの開き角度をθ１と鈍角にした。
【００１４】
担架サイズを通常の大人の身長の半分程度まで短くし、それでいて要介護人を担架上に安全に保つために、図５のように支持フレームＦ１と支持フレームＦ２間に、シートＳを弛ませてハンモック状に張った。弛んだシートＳと支持フレームＦ１は、要介護人を臀部で滑り落ちを防止し、左右の担架フレームＦは左右への転落を防止する。また前記担架フレームと支持フレームと弛んだシートＳからなる担架本体を担架フレームと支持フレームの連結部で脚Ｃを連結した。
【００１５】
本発明は、階段などの急な勾配のある場所においも、要介護人を寝たままの状態で保ち階段移動できるようにすると同時に、介護者の移送手段を安全で容易にするために、担架本体に脚Ｃとそして吊り手Ａ４を設置し、脚Ｃには脚把持部Ｃａ、前脚把持部Ｃｂそして吊り手Ａ４には吊り手把持部Ａ１、Ａ２、と吊り手把持部Ａ３を設けた。
【００１６】
階段用担架の脚Ｃに４輪のキャスターを付けて、室内や廊下では座椅子としての使用だけでなく、車椅子としても走行できるようにした。図３のように前脚フレームと後脚フレームとの開き角度はθ２と鋭角にした。
【００１７】
階段での移送時に、階段上の介護者の階段用担架の移送作業をより容易にし、階段の段差がもたらす介護者の労力を軽減するための複数の把持部のうち、吊り手把持部Ａ３、前脚把持部Ｃｂを吊り手フレームあるいは前脚フレームのパイブ空洞に挿入したスライド棒をスライドすることで伸縮が可能な構造とした。
【００１８】
各把持部については、移動中の担架の左右のアンバランスを把持部の位置でバランスを矯正できるように、枕幅以上で肩幅である担架幅の長さを持たせた。
【００１９】
枕フレームＦ３に連結した吊り手Ａ４の最初の一段目の吊り手把持部Ａ1は、枕Ｍ上の要介護人の頭や顔に当たらない程度で階段蹴上げ一段分を離し、二段目の把持部Ａ２は吊り手把持部Ａ１からさらに階段蹴上げ一段分離し、吊り手把持部Ａ３は吊り手把持部Ａ２から階段蹴上げの二段分の長さまで、自動車のアンテナロッドのようにスライド可能なスライド棒Ｐで伸ばすことができるように連結する。吊り手Ａ４の吊り手把持部Ａ３は、枕フレームＦ３から階段蹴上げ四段分上方の位置、すなわち介護者の平均的な股関節の高さまで伸び、吊り手４の長さは約９０ｃｍとする。
【００２０】
吊り手Ａ４を階段で使用する場合は、ほぼ垂直で階段側に少し傾斜して立て、枕Ｍのネジ穴Ｎ1と吊り手フレームＡの固定ネジＮで固定して、担架を略垂直に階段傾斜に沿って移動する。
【００２１】
担架フレームと支持フレームＦ１の連結部に設置した前脚フレームＣ1の脚把持部Ｃａは、支持フレームＦ１から階段蹴上げ一段分相当の間隔をあけて、そして前脚把持部Ｃｂは、把持部Ｃａよりもさらに階段蹴上げ一段分の長さまでスライド棒Ｐで下方へ伸ばすことができる。前脚フレームＣ１のスライド棒Ｐで伸ばした前脚把持部Ｃｂは、支持フレームＦ１から垂直に階段蹴上げ二段分の距離まで下方に、そしてブレーキ付きキャスターを着地させた階段踏み面から二段離れた階段踏み面の上へと伸びる。図面では記していないが、当該スライド棒Ｐには複数のネジ穴Ｎ１があり、前脚フレームＣ１に設置した固定ネジでスライドして固定できる。
【００２２】
コンパクトで短くした階段用担架でありながら、身長の大きな人にも対応して使用できるように、枕Ｍを固定した枕フレームＦ３を担架フレームＦのパイプ空洞に挿入したスライド棒Ｐでスライドして伸ばして対応できるようにした。図面では記していないが、当該スライド棒Ｐには固定ネジＮ用の複数のネジ穴Ｎ１があり、担架フレームＦに設置した固定ネジで担架の身長方向での長さを調整して固定する。
【００２３】
要介護人の担架上での背中への圧点が分散できるように、担架のシートＳは、布など適度な柔軟性がありかつ強靭で汚れ防止加工した素材を使用するのがよい。また同等の素材のネット等でも良い。
【００２４】
シートＳを、図５のように要介護人の腰が本体フレームから沈むように弛ませて張ることによって、支持フレームＦ１が要介護人の滑り落ちを防止するように、左右の担架フレームＦが、要介護人の左右で臀部から肩までを囲う程度に弛ませた。
【００２５】
担架上で要介護人の頭部及び身体を安定させるために、枕ＭをＵ字形とした。
【００２６】
図面には記していないが、担架上で移動中の要介護人の不用意な動きと転落防止のために、一対の担架フレームＦに着脱できるように、胸部から腹部でシートベルトを設置する。
【００２７】
図面には記していないが、前輪であるキャスターＴ１は自在キャスターとし、後輪であるキャスターＴ２は、階段踏み面に乗り上げている間は、回転して階段から脱輪しないようにブレーキ付きキャスターとした。
【００２８】
図面には記されていないが、吊り手Ａ４は枕フレームを軸として回転してシートＳの背面では紐などで固定できるようにし、また吊り手Ａ４と脚Ｃは、収納時には担架本体から着脱可能にした。
【発明の効果】
【００２９】
コンパクトな担架とし架設したシートＳを弛ませることで、ハンモックのように要介護人を安定して保持できるので、通常の担架では移送が不可能であったような階段など狭い場所での移動や方向転換が可能になったばかりでなく、通常の担架では滑り落ちてしまう程に担架を前に傾斜させて、すなわち座椅子のようになるまで傾けることができるので、担架全長よりもさらに狭い場所での移送が容易となる。
【００３０】
図５のように、担架シートＳを弛ませたことで要介護人の身体をフレームで前後左右から囲うようになるばかりでなく、あたかもハンモックのように宙吊りとなるので通常の担架や車椅子の前後左右の揺れに対して、要介護人の身体はシートＳに密着してより安定させて移送することができる。
【００３１】
本発明は、介護者が階段の上側からと下側からで担架に乗せた要介護人を移送する際に、複数の介護者用把持部フレームを設け、自動車のアンテナロッドのようにスライド可能なスライド棒Ｐの長さを任意に調節することで、介護者は、階段用担架の階段の下側からは、前脚フレームＣ１の脚把持部Ｃａや前脚把持部Ｃｂを、また階段の上側からは吊り手Ａ４の吊り手把持部Ａ１、Ａ２、そして吊り手把持部Ａ３を、介護者の腰の位置から階段蹴上一段分の距離の範囲で把持部を上下に操作することができる。このことによって介護者は、必要以上に腰を深く屈めたりせず、あるいは無理な背伸びなどの姿勢を強いられことなく移送作業ができるので、介護者の無理な労動を軽減し作業を安全なものにすることができる。
【００３２】
本発明は、介護者が階段の上側からと下側から階段用担架に要介護人を乗せて移動する際に、複数の介護者用把持部を設け、自動車のアンテナロッドのようにスライド可能なスライド棒の長さを任意に調節することで把持部を使い分けができるので、介護者は平地から階段のような傾斜や大きな段差のある場所においても、要介護人をほぼ安定した一定の状態に保った状態で移送することができる。
【００３３】
吊り手Ａ４を枕Ｍ外側面のネジ穴Ｎ１とフレームＡの固定ネジＮで固定することで、移送の際に階段上で担架本体の前後のぶれ、あるいは要介護人の頭部側で介護者が吊り手を持ち上げ過ぎることによる担架の前方への転倒を防止することができるだけでなく、略垂直移送の際に前後への動きの調節が可能である。
【００３４】
本発明は、把持部に把持しやすい太さと長さを持たせたことで、担架の左右のバランスを矯正して保持し、担架を安定させることができる。
【００３５】
本発明は、シートＳをハンモックのように架設したことで、担架シートＳが移送中の前後左右の揺れを分離し吸収することができるので、車中においての急ブレーキや悪路の横揺れになどに対し、要介護人に優しい担架移送手段を提供することができる。
【００３６】
脚Ｃは、着脱可能なので、より狭い場所での担架移動が可能となる。
【００３７】
介護者が平面で担架を操作する場合は、後脚フレームＣ２の２輪のキャスターで担架をほぼ水平に維持したまま移動することが可能で、介護者１名による担架操作が可能である。
【００３８】
担架シートＳを弛ませたことで、要介護人の大腿部と腰から肩までの広い面積がシートＳと密着するので、担架上の要介護人の体圧点を分散させることができる。
【００３９】
前脚フレームＣ１のスライド棒の長さを調整することで、担架本体を座椅子状態から後方にリクライニングし、任意のリクライニング角度を選択できる。
【００４０】
枕ＭをＵ字形としたことで、要介護人の頭部を安定するのみでなく、体全体の不用意な動きを防止でき、担架の中央に保持し易くなる。
【図面の簡単な説明】
【００４１】
【図１】階段用担架の全体図である。
【図２】図１を枕側と前脚側でそれぞれのスライド棒を伸ばした時の図である。
【図３】各フレームの取り付け角度の配置図である。
【図４】吊り手を、ネジで固定した図である。
【図５】担架を水平に使用した時の説明図である。
【図６】階段で階段用担架を移送する説明図である。
【発明を実施するための形態】
【００４２】
本担架は、１対の担架フレームＦと支持フレームＦ１と支持フレームＦ２とからなる長方形に、一対の担架フレームＦの枕側のそれぞれのパイプ空洞に自動車のアンテナロッドのようにスライド可能なスライド棒Ｐをそれぞれ挿入してその端部に接合した枕フレームＦ３で全体としてＵ字形状を為した枕フレームをスライド自在にそして固定できるように挿入した構造からなる全体として伸縮可能にした長方形である。その支持フレームＦ１と支持フレームＦ２を支点として当該フレームを幅とするシートＳを、ハンモックのように弛みを持たせて架設する。  
【００４３】
さらに枕フレームＦ３には吊り手フレームＡ４を、そして臀部側の担架フレームと支持フレームＦ1の連結部に脚Ｃを設置し、それらが一体となって階段用担架を構成する。但し、吊り手Ａ４は階段の傾斜に応じて、枕Ｍの外側面ネジ穴とフレームＡの固定ネジで垂直か階段側に傾斜した角度で固定でき、枕フレームＦ３を軸として回転することが可能で、図面には記していないが、シートＳの下部へ回転収納し紐等で固定し、枕フレームＦ３から着脱できるものとする。
【００４４】
図面には記していないが、脚Ｃも収納時などに、着脱できるものとする。
【００４５】
本担架は、図５のようにシートＳで、要介護人の大腿部と腰が支持フレームＦ１から沈み込む程度の深さに、そして支持フレームＦ２では肩を支持し、枕フレームＦ３の枕Ｍでは頭部を支持するようなコンパクトな構成である。
【００４６】
本担架は、脚Ｃを設けることで座椅子となり、またキャスターＴ1、Ｔ２を設置することによって車椅子となる。また前脚Ｃ１のスライド棒の長さを調節し固定することで、担架本体フレームＦを後方へ倒してリクライニングできる。
【００４７】
本担架の枕フレームＦ３に接続した吊り手Ａ４の長さは、自動車のアンテナロッドのようにスライド可能なスライド棒Ｐをスライドすることで、吊り手把持部Ａ３の長さを調節し固定ネジで固定できるように連結されている。吊り手把持部Ａ３は、枕フレームＦ３から階段蹴上げの四段分階段上方へ伸びる構成である。
【００４８】
担架本体の臀部側には脚Ｃがあって、脚を構成する一対の前脚フレームＣ１、後脚フレームＣ２の下端には、それぞれ一対のキャスターＴ１、ブレーキ付きキャスターＴ２を設置する。
【００４９】
吊り手Ａ４の各把持部フレームの太さは、直径にして３ｃｍ前後程度、長さは枕Ｍ幅である約３０ｃｍのパイプからなる。
【００５０】
一対の前脚フレームＣ１には脚把持部Ｃａが支持フレームに対して平行で支持フレームの垂直下方向で階段蹴上一段分の距離をあけて梯子状に連結され、そして前脚フレームＣ１のバイプ空洞にそれぞれスライド棒Ｐを挿入して、各スライド棒の端部手前で前脚把持部Ｃｂが脚把持部Ｃａに対して平行で支持フレームの垂直下方向で階段蹴上一段分の距離をスライドできるような全体がＵ字形状の前脚把持部フレームが連結されていて、更に前記各スライド棒の端部にはそれぞれキャスターＴ1が連結されている。把持部フレームの太さは、直径にして３ｃｍ前後程度、長さは約５０ｃｍとする。
【００５１】
担架シートＳの幅は、支持フレームＦ幅の約５０ｃｍとする。
【００５２】
枕フレームＦ３から伸ばした吊り手把持部Ａ３までの吊り手Ａ４の全長は、約９０ｃｍとする。
【００５３】
担架の支持フレームＦ１から枕フレームＦ３までの長さＬ１を、約８０ｃｍとする。
【００５４】
前脚フレームＣ１のスライド棒を伸ばさない時、キャスターＴ１先端までの長さＨ１を約３６ｃｍとする。座椅子または車椅子として使用する場合に、容易に座ることのできる高さとした。
【００５５】
前脚フレームＣ１の脚把持部Ｃaは、支持フレームＦ１から見て階段蹴上げ一段分約２２ｃｍ垂直下方向に離れるように設置する。前脚把持部Ｃｂは、自動車のアンテナロッドのようにスライド棒をスライドして伸ばすことによって前脚把持部Ｃｂから見て階段蹴上げ一段分約２２ｃｍ垂直方向に更に離れるように下方に伸びて、支持フレームＦ1から見ると階段蹴上二段分の約４４ｃｍ鉛直下に離れることになって、後脚フレームと前脚フレームＣ1との開き角度θ２は鋭角３９°なので、ブレーキ付きキャスターの階段踏み面上の着地点から見た場合は階段下側に向かって水平距離で約３４ｃｍ離れる。
【００５６】
担架の後脚フレームＣ２のブレーキ付きキャスターＴ２先端接地点までの長さを、約５３ｃｍとする。
【００５７】
本担架を側面から見た図３で、一対の担架フレームＦと一対の後脚フレームＣ２の開き角度θ１は１０１°で連結される。但し開き角度θ１は、階段傾斜角度が大きくなると、階段踏み面上にブレーキ付きキャスターを着地させ、また上側の階段角で枕フレームと接触する２点支持で担架を階段途上で静止させるためには、要介護人の重心を後脚フレームの支点より階段側に配するためには必然的に開き角度は大きくなる。
【００５８】
吊り手Ａ４の吊り手把持部Ａ１は、使用時には要介護人の頭部上に位置するので、介護者が把持部を握っても頭部や顔面と接触しないように、枕フレームＦ３から相当な距離を設けて設置する。
【００５９】
前脚フレームＣ１の自動車のアンテナロッドのようにスライド可能な構造からなるスライド棒Ｐの下端に設置されたキャスターＴ１は、スライドして伸ばした後の前脚フレームＣ１の全長であるキャスターＴ１の接地点までのＨ２は、約５８cmである。
【００６０】
吊り手把持部Ａ３、前脚把持部Ｃｂ、及び枕フレームＦを連結する複数のネジ穴Ｎ１を有するスライド棒Ｐは、それぞれの棒の長さにおいてスライドして、各フレームの固定ネジＮとネジ穴で固定が可能である。
【００６１】
枕Ｍは、移動時の要介護人の頭部を安定し、かつ頭部を回転させても要介護人の鼻が吊り手フレームＡに触れない程度の全長約３０ｃｍ幅を有し、中程中央がＵ字形状に窪んだ形態である。
【００６２】
その他の形態。パイプの材質はカーボングラス材でも良く、長さ、シートＳの幅、脚の長さや開き角度θ１及びθ２は、階段傾斜５０度の住宅用階段で使用することをモデルとして示したものであるので、座椅子や車椅子あるいはリクライニングして使用できる範囲であれば、担架本体フレームＦの長さ、脚Ｃのフレームの長さ、開き角度θ１、θ２は、原則的に階段の傾斜角度、蹴上げや踏み面のサイズに応じた担架として、またスライド棒の固定方法は変更が可能である。
【実施例１】
【００６３】
本例は、本担架が階段途上にある場合の実施例である。図２のように、吊り手Ａ４の吊り手把持部Ａ３をスライドして伸ばし、枕Ｍの外側面のネジ穴Ｎ１と吊り手フレームＡの固定ネジＮで、図６のように要介護人の頭上、階段蹴上の約四段分の垂直上から少し階段側に傾いた位置で固定する。吊り手把持部Ａ３の位置は、階段上側で要介護人の頭部が位置する階段踏み面から、一段上に足を置いて直立する介護者が、姿勢を伸ばして腰の高さで吊り手把持部Ａ３を把持する高さである。すなわち階段用担架を移動する場合の介護者の基本動作は、把持部の位置を腰の高さから階段蹴上にして一段分下の間約２２ｃｍの範囲で、階段一段差においてブレーキ付きキャスターと要介護人の頭部を階段の角にぶつけないように略垂直移動することとなる。介護者は、腰を曲げ過ぎずまた伸ばし過ぎず無理のない動きで、二名の介護者の呼吸が合えば、階段を複数段一気に上下移送することもできる。
【００６４】
介護者が階段用担架を階段下から前脚把持部によって支える場合は、ブレーキ付きキャスターの着地する階段踏み面から階段三段下方の踏み面に両足で立つ。その時前脚把持部は、支持フレームＦ１から見て約４４ｃｍ垂直下方にあって直立した介護者の前方の腰の高さの位置にある。介護者は前脚把持部を支持し担架を階段の上下へ、それぞれ略垂直移動する。
【００６５】
吊り手把持部の長さは約３０ｃｍ、脚把持部長さは約５０ｃｍであるので、把持する位置を左右に選択することで担架の左右のアンバランスを調整することができる。
【００６６】
担架の脚Ｃは、図３のように、前脚フレームＣ１と後脚フレームＣ２を開き角度θ２の鋭角で、後脚フレームＣ２と担架フレームＦにおいては開き角度θ１の鈍角で、座椅子としても安置できるように連結した。階段踏み面上にブレーキ付きキャスターＴ２を着地させ、また上側の階段角に着地する枕フレームＦ３の２点支持で担架を階段途上で置いた時、担架上の要介護人の重心位置が、ブレーキ付きキャスターＴ２の着地点垂直上から要介護人の上の階段側に配されるような開き角度θ１の鈍角とする。このことによって、前記の２点支持で、担架を階段上で静止することができるので、階段を下側に転落することは無い。
【００６７】
階段登り始めにおいて階段上側の介護者は、枕フレームＦ３を把持したままブレーキ付きキャスターＴ２を転がして階段三段目に枕フレームＦ３もしくは枕を着地する。この時点で階段下側の介護者は、ブレーキ付きキャスターＴ２にブレーキをかける。担架は前記角度θ１によってその状態で階段に支持されて静止しているので、この時に吊り手把持部Ａ３をスライドして、階段上側の介護者は足を要介護人の頭部の位置する階段踏み面からさらに一段上に立脚して直立した時に、腰の位置に来るように伸ばす。その後階段上側の介護者は、要介護人の更に一段上の要介護人の頭部の階段踏み面から二段上で立脚し腰を少し屈めた姿勢で吊り手把持部Ａ３を把持し、一段上へ略垂直に引き上げる。階段下側の介護者は、支持フレームＦ１を把持して最初の階段一段目を、略垂直に上げる。この時要介護人の頭部は、一段登って階段上の介護者の足から一段下の階段に着地する。階段上の介護者は同様の動作を繰り返す。階段下の介護者は階段上の介護者の上記の連続した動きに合わせるように、次に脚把持部Ｃaを把持しさらに階段一段分持ち上げ、それからスライドして伸ばした前脚把持部Ｃｂを操作して、階段下の介護者が少し腰を屈めて把持する位置から、肢と背筋を伸ばすようにして次の階段一段上へ持ち上げる。
【００６８】
階段上踊り場に到達した介護者は、吊り手把持部Ａ３を階段一段分短縮して、さらにＡ２、Ａ１へと把持部を持ち変えて担架を引き上げ、最終的に枕フレームＦ３を支持して、階段上踊り場に担架の後脚のブレーキ付きキャスターを着地させる。その時階段下側の介護者は、前脚把持部Ｃｂをスライドして前脚を短縮し、ブレーキ付きキャスターのブレーキを解除する。階上の介護者はフレームＦ３を支持してキャスターを転がして移動し、その後は４輪の車椅子として階上で移動させてもよい。
【００６９】
吊り手Ａ４を、枕側面の固定ネジで担架本体と固定できるようにしているのは、階段移動中の担架を安定するためである。
【００７０】
吊り手Ａ４は、平面での移送や車椅子での使用の場合では、担架操作の妨害となることがないように、図５のようにシートＳの裏面に回転収納し、紐等で固定する。
【００７１】
自動車のアンテナロッドのようにスライド可能なスライド棒の複数のネジ穴Ｎ１は、要介護人や介護者のそれぞれの身長や体形に合わせて、適切な把持部の位置を選択するためのものである。
【００７２】
介護者は、自らの身長などを考慮してスライド棒Ｐをスライドして把持部を調節し、固定ネジＮと任意のネジ穴Ｎ１で、介護者が担架を階段下から上へまた階段上から下に移動操作するのに最も力の入れ易い位置を選択できる。
【００７３】
要介護人の身長に合わせて、枕フレームＦ３の自動車のアンテナロッドのようにスライド可能なスライド棒Ｐをスライドして枕に要介護人の頭部を乗せて、担架フレームＦの固定ネジＮとネジ穴Ｎ１で枕フレームＦ３を固定する。
【実施例２】
【００７４】
本例は、脚Ｃの４輪のキャスターを使用して室内や廊下それに道路などで、階段用担架を座椅子または車椅子として使用するものである。この場合は、介護者は要介護人を座椅子または車椅子のようにして乗せて、担架として使用する場合は前後二名の介護者を要したが、一人の介護者で枕フレームＦ３を把持して操作することが可能である。
【００７５】
前脚フレームＣ１のスライド棒を、スライドして伸ばし固定することで、座椅子または車椅子から後方へリクライニングした座椅子または車椅子のようにして使用できる。また、リクライニングする好みの角度に調節ができる。
【実施例３】
【００７６】
本例は、後輪のブレーキ付きキャスターＴ２を使用して、室内や廊下それに道路などで、担架本体をほぼ水平にしたまま、移送する実施例である。この場合は、介護者は要介護人を座椅子状態から水平に寝かせて乗せて、一人の介護者が、枕フレームＦ３を把持し、前輪のキャスターを浮かせまま一ブレーキ付きキャスターＴ２を転がして担架を操作する。
【産業上の利用可能性】
【００７７】
担架を必要とする要介護人は、身体が骨格的に虚弱であったり、意識がなかったりして、自力で移動できない。こうした場合、家屋内の狭い通路や階段での移送は、階段が急勾配であることによって、通常の長さでは担架の水平が維持できない場合がある。担架が使用できない場合は、背負うなどの方法による外にはないのが実情であるが、身体に拘縮がある場合はそれすらも不可能な場合があるだけでなく、要介護人に傷病上のリスクを強いることになる場合がある。
【００７８】
要介護人である患者等は、救急以外にも日常てきな通院や通所などで階段を安全に移動することを望んでいる。しかしながら、日本家屋のような狭い階段で、介護者が安全に操作できると供に要介護人にとっても安心して移送を受ける担架がないので、通院のためですら外出を控えているのが実情である。
【００７９】
老人の在宅介護が増加した結果、自力で階段を移動できない要介護人や急患者等が、狭い廊下や階段上の二階で居住していることが増加している。日本の住居環境では階段に簡易エレベーターなどを設置することもできず、階段での移動リスクは、今後も増大するということができる。
【００８０】
患者等要介護人の階段移動の安全性、移送を担う介護者の労務負担の軽減することのできる担架として考案されたのが、本発明の階段用担架である。この階段用担架は、階段で使用できるばかりでなく、座椅子もしくはリクライニング車椅子として使用し、リフトやスロープなどを備え、車椅子などの固定装置を備えた介護車両へそのまま乗車することで病院へ直行することができる。これは、要介護人にとっても介護者にとっても、階段から車両までの安全快適な移送ツールである。
【符号の説明】
【００８１】
Ｆ            担架フレーム
Ｆ１、Ｆ２    支持フレーム
Ｆ３          枕フレーム
Ｆ４          担架本体
Ａ            吊り手フレーム
Ａ１、Ａ２    吊り手把持部
Ａ３          吊り手把持部
Ａ４          吊り手
Ｃ            脚
Ｃ１          前脚フレーム
Ｃ２          後脚フレーム
Ｃａ          脚把持部
Ｃｂ          前脚把持部
Ｔ１          キャスター
Ｔ２          ブレーキ付きキャスター
Ｐ            スライド棒
Ｎ            固定ネジ
Ｎ１          ネジ穴
Ｓ            担架シート
Ｍ            枕
Ｌ１          担架本体の長さ
Ｌ２          担架の全長
Ｈ１、Ｈ２    前脚の長さ
θ１、θ２    角度
【手続補正２】
【補正対象書類名】特許請求の範囲
【補正対象項目名】全文
【補正方法】変更
【補正の内容】
【特許請求の範囲】
【請求項１】
人体の肩幅間隔で平行し臀部から肩までの長さをもった２本のパイプからなる担架フレームと、担架フレームのそれぞれの端部に接合した２本のパイプからなる支持フレームとで構成した長方形の担架において、要介護人の頭部側となる担架フレームのパイプ空洞に、枕を中央部に固定した連結棒を２本のスライド棒の先端に連結してＵ字形状とした枕フレームをスライドと固定が可能なように挿入して、前記２本の支持フレーム間には担架用シートを弛みを持たせて張り渡して担架本体を構成し、前記枕の左右外側の枕フレームには、階段蹴上二段分の長さの平行した２本のパイプの一端をそれぞれ回転自在に取り付け、他端のパイプ空洞に、階段蹴上二段分の長さをもった２本のスライド棒の先端間に吊り手把持部を連結したＵ字形状の吊り手フレームをスライドと固定が可能なように挿入し、前記枕の左右外側で枕フレームに接続した２本のパイプ間には、枕フレームと平行でかつ階段蹴上一段分の距離をあけて一段目の吊り手把持部を、さらにもう一段分の距離をあけて二段目の吊り手把持部をそれぞれ連結して梯子状とし、前記Ｕ字形状の吊り手フレームの吊り手把持部のスライド分を含めて全体が階段蹴上四段分まで伸びる吊り手を構成し、担架本体の臀部側の担架フレームと支持フレームとの連結部に、担架が平らな面にある時は車椅子あるいはリクライニング車椅子となるようにそれぞれ２本の平行する前脚フレームと２本の平行する後脚フレームの先端を開き角度θ２の鋭角で接合し、担架が階段途上に位置する際、担架は要介護人の重心が階段踏み面の後脚フレームの着地点よりも上の階段側に位置して、この後脚フレームの着地点と枕フレームが階段角部と接する支点との２点支持で自律して静止できるように、２本の平行する担架フレームと前記２本の平行する後脚フレームの先端を開き角度θ１の鈍角で接合し、２本の各後脚フレームの下端にはブレーキ付きキャスターを取り付け、２本の前脚フレーム間には、前記支持フレームに対して平行で支持フレームの垂直下方向で階段蹴上一段分の距離をあけて脚把持部を梯子状に連結し、この前脚フレームのパイプ空洞のそれぞれには、垂直下方向にみて階段蹴上一段分の長さでスライド可能な２本のスライド棒を挿入してその各先端部の手前で脚把持部と平行に前脚把持部を連結した全体がＵ字形状の前脚把持部フレームをスライドと固定が可能なように挿入し、階段下側の介護者は担架をより安定して支持するために前記前脚把持部の鉛直下の階段踏み面よりも外側の一段低い階段踏み面に立ち、さらに前脚把持部をより持ち上げ易いように股関節より低く配置されるために、前記前脚フレームのスライド棒を伸ばして、前記支持フレームから垂直方向にみて階段蹴上二段分下方に前脚把持部が位置する点と、前記ブレーキ付きキャスターが着地する階段踏み面から二段階下の階段踏み面の中央上部を通過する鉛直線とが交わる位置に配されて固定が可能な構成の階段用担架。                          
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
a) 人体の肩幅間隔で配置された、臀部から肩までの長さをもった平行な２本のパイプからなる担架本体フレームと、前記担架本体フレームの２本のパイプそれぞれの一方の端部及び他方の端部に両端が接合された２本のパイプからなる支持フレームとで構成された長方形の担架フレームと、要介護人の頭部側となる前記担架本体フレームのパイプ空洞にスライドと固定が可能なように挿入された、枕を中央部に固定した連結棒の両端を２本のスライド棒の先端にそれぞれ連結してＵ字形状とした枕可動フレームと、前記２本の支持フレーム間に弛みを持たせて張り渡された担架用シートとから構成された担架本体と、
b) 前記枕の左右外側の枕可動フレームに回転自在に取り付けられた、階段蹴上二段分の長さを有する平行な２本のパイプ間に、前記枕可動フレームと平行で且つ前記枕可動フレームから階段蹴上一段分の距離をあけて一段目の吊り手把持部を連結し、さらに前記一段目の吊り手把持部から一段分の距離をあけて二段目の吊り手把持部を連結して構成された梯子状の吊り手フレームと、前記吊り手フレームを構成する２本のパイプの、先端側の空洞にスライドと固定が可能なように挿入された、階段蹴上二段分の長さをもった２本のスライド棒と、その先端間に連結された吊り手把持部とからなり、全体が階段蹴上四段分まで延びる吊り手と、
c) 前記担架本体フレームの臀部側端部と前記支持フレーム両端との連結部にそれぞれ接合された、該連結部から下方に延びる２本の平行なパイプからなる前脚フレームと、
d) 前記担架本体フレームの臀部側端部と前記支持フレーム両端との連結部にそれぞれ接合された、該連結部から下部後方に向かって延びる２本の平行な後脚フレームと、
e) 前記各後脚フレームの下端に取り付けられたブレーキ付きキャスターと、
f) 前記２本の前脚フレーム間に連結された、前記支持フレームに対して平行で且つ前記支持フレームとの間に階段蹴上一段分の距離を有する脚把持部と、
g) 前記前脚フレームを構成する２本のパイプの下部空洞にそれぞれスライドと固定が可能なように挿入された、階段蹴上一段分の長さを有する２本のスライド棒と、これらスライド棒の先端部の手前に連結された前記脚把持部と平行な脚可動把持部と、前記脚可動把持部の両側下部に取り付けられたキャスターとから成る、全体がＵ字形状の前脚把持部フレームと、
を備え、
平らな面にある時は車椅子あるいはリクライニング車椅子となるように前記前脚フレームと前記後脚フレームの開き角度θ２を鋭角に設定し、
前記後脚フレームを階段踏み面に着地させ、且つ前記枕可動フレームを前記後脚フレームの着地点よりも上方の階段角部に接触させて階段途上に位置させる時は、要介護人の重心が、前記ブレーキ付きキャスターの着地点よりも上方で且つ階段側に位置して、前記後脚フレームの着地点と、前記枕可動フレームと階段角部との接点で２点支持できるように、前記担架フレームと前記後脚フレームの開き角度θ１を鈍角に設定すると共に、
前記脚可動把持部が、前記ブレーキ付きキャスターの着地点から階段差四段分下の踏み面に両足で立つ階段下側の介護者が直立した時の腰の位置に至り、且つ、前記ブレーキ付きキャスターの着地点よりも水平方向に階段踏み面二段分、前記階段下側の介護者側に位置するように構成したことを特徴とする階段用担架。
【手続補正２】
【補正対象書類名】明細書
【補正対象項目名】全文
【補正方法】変更
【補正の内容】
【発明の詳細な説明】
【技術分野】
【０００１】
本発明は、病人等の要介護人を移送する際、狭い住宅の階段や廊下そして道路などで使用するのに適した担架に関するものである。
【背景技術】
【０００２】
病人等の要介護人の移送には、救急車などの担架、病院内でのストレッチャー、また一般に使用されている屋内外で使用する車椅子、あるいはリクライニング車椅子などがある。
【０００３】
こうした通常の担架または車椅子は、平面や緩やかな坂又は小さな段差の場所での移送においては有効な移送手段であるが、急な段差や屋内の階段での使用に特化して供されているものではない。階段での移動は、階段用スロープを使用するか、あるいは前後又は左右からの人力で持ち上げて移動しているのが現状である。
【０００４】
しかし、住宅の階段のような幅狭く急勾配の場所では、通常の担架は長くて移送困難であり、また介護者を車椅子の前後左右に配置して階段移動させることも困難である。
【０００５】
また、重病人や意識喪失した人、あるいは骨折した人や、身体に拘縮のある人、また触れるだけで全身に痛みを発症する人などを、住宅などの狭い階段を、人力で抱えたり背負ったりして移送することは、困難である。こうした要介護人を介護者が腕力のみで抱えようとすると、骨粗しょう症などの人に骨折や、患部の圧迫などによるリスクを背負うことになる。
【０００６】
こうした要介護人の階段での移送に関するものとして、さまざまな担架が考案されている。しかし、階段での移送が、要介護人にとってもまた階段を移送する介護者側にとっても労務を軽減し安全で容易に使用できる担架がないのが実情である。
【先行技術文献】
【特許文献】
【０００７】
【特許文献１】特許第２７９４２７８号
【特許文献２】特許第３１７２６８２号
【特許文献２】特許第３４９２９８２号
【発明の概要】
【発明が解決しようとする課題】
【０００８】
解決しようとする課題は、急病人等の要介護人の移送作業において、狭く勾配の急な階段においても、要介護人を担架上で安全に寝たままの楽な姿勢を保って身体的負担をかけることなく、そして移送する側の介護者の労務を軽減しかつ安全でより容易に移送することである。
【０００９】
担架は、狭い階段等の場所で使用できるものでありながら、同時に室内や廊下あるいは道路上においても使用でき、かつそのまま車に移乗できるものであるのが良い。
【００１０】
要介護人を寝たままかそれに近い姿勢で移送する際、住宅等の廊下や階段の踊り場での方向転換のためには、コンパクトで小型でありながら担架としての機能を満たすものであることが要求される。
【００１１】
介護者が、狭い階段で要介護人を乗せた担架を下から上また上から下へと移動させるには、階段の上下から二人での作業となるので、階段の高低差による不安定な位置の二人の作業が容易で安全にできる構造の担架が求められる。この安全で容易な作業を実現するのは、階段という不安定な場所で、どのように担架を安定させる把持部を設けるかということである。
【００１２】
コンパクトで小型の担架でありながらも、移送する要介護人のさまざまな身長差などの体型に対応できると同時に、担架そのものが介護者にとって操作しやすいものであると同時に、担架の構造が要介護人の安全を確保しつつ、介護者の移送負担を軽減するものでなければならない。
【課題を解決するための手段】
【００１３】
本発明の階段用担架は、
a) 人体の肩幅間隔で配置された、臀部から肩までの長さをもった平行な２本のパイプからなる担架本体フレームと、前記担架本体フレームの２本のパイプそれぞれの一方の端部及び他方の端部に両端が接合された２本のパイプからなる支持フレームとで構成された長方形の担架フレームと、要介護人の頭部側となる前記担架本体フレームのパイプ空洞にスライドと固定が可能なように挿入された、枕を中央部に固定した連結棒の両端を２本のスライド棒の先端にそれぞれ連結してＵ字形状とした枕可動フレームと、前記２本の支持フレーム間に弛みを持たせて張り渡された担架用シートとから構成された担架本体と、
b) 前記枕の左右外側の枕可動フレームに回転自在に取り付けられた、階段蹴上二段分の長さを有する平行な２本のパイプ間に、前記枕可動フレームと平行で且つ前記枕可動フレームから階段蹴上一段分の距離をあけて一段目の吊り手把持部を連結し、さらに前記一段目の吊り手把持部から一段分の距離をあけて二段目の吊り手把持部を連結して構成された梯子状の吊り手フレームと、前記吊り手フレームを構成する２本のパイプの、先端側の空洞にスライドと固定が可能なように挿入された、階段蹴上二段分の長さをもった２本のスライド棒と、その先端間に連結された吊り手把持部とからなり、全体が階段蹴上四段分まで延びる吊り手と、
c) 前記担架本体フレームの臀部側端部と前記支持フレーム両端との連結部にそれぞれ接合された、該連結部から下方に延びる２本の平行なパイプからなる前脚フレームと、
d) 前記担架本体フレームの臀部側端部と前記支持フレーム両端との連結部にそれぞれ接合された、該連結部から下部後方に向かって延びる２本の平行な後脚フレームと、
e) 前記各後脚フレームの下端に取り付けられたブレーキ付きキャスターと、
f) 前記２本の前脚フレーム間に連結された、前記支持フレームに対して平行で且つ前記支持フレームとの間に階段蹴上一段分の距離を有する脚把持部と、
g) 前記前脚フレームを構成する２本のパイプの下部空洞にそれぞれスライドと固定が可能なように挿入された、階段蹴上一段分の長さを有する２本のスライド棒と、これらスライド棒の先端部の手前に連結された前記脚把持部と平行な脚可動把持部と、前記脚可動把持部の両側下部に取り付けられたキャスターとから成る、全体がＵ字形状の前脚把持部フレームと、
を備え、
平らな面にある時は車椅子あるいはリクライニング車椅子となるように前記前脚フレームと前記後脚フレームの開き角度θ２を鋭角に設定し、
前記後脚フレームを階段踏み面に着地させ、且つ前記枕可動フレームを前記後脚フレームの着地点よりも上方の階段角部に接触させて階段途上に位置させる時は、要介護人の重心が、前記ブレーキ付きキャスターの着地点よりも上方で且つ階段側に位置して、前記後脚フレームの着地点と前記枕可動フレームと階段角部との接点での２点支持できるように、前記担架フレームと前記後脚フレームの開き角度θ１を鈍角に設定すると共に、
前記脚可動把持部が、前記ブレーキ付きキャスターの着地点から階段差四段分下の踏み面に両足で立つ階段下側の介護者が直立した時の腰の位置に至り、且つ、前記ブレーキ付きキャスターの着地点よりも水平方向に階段踏み面二段分、前記階段下側の介護者側に位置するように構成したことを特徴とする。
本発明では、アルミなどの軽金属パイプまたは棒からなるフレームで構成し、担架をコンパクトに短いものにして、図５のように膝を折りたたんで要介護人が担架上に寝ても、弛ませて張った担架シートと四方のフレームが枠内で安定した姿勢で要介護人を担架上に保つと同時に、急な傾斜と高低さのある階段で図３のように担架が前方に転倒しないで静止できるように、担架フレームと後脚フレームとの開き角度をθ１とした。
【００１４】
担架サイズを通常の大人の身長の半分程度まで短くし、それでいて要介護人を担架上に安全に保つために、図５のように支持フレームＦ１と支持フレームＦ２間に、シートＳを弛ませてハンモック状に張った。弛んだシートＳと支持フレームＦ１は、要介護人を臀部で滑り落ちを防止し、左右の担架フレームＦは左右への転落を防止する。また担架本体を脚Ｃで立てた場合、要介護人を座った状態で保ち、座椅子もしくは車椅子としても使用できるようにした。
【００１５】
本発明は、階段などの急な勾配のある場所においても、要介護人を寝たままの状態で保ち階段移動できるようにすると同時に、介護者の移送手段を安全で容易にするために、担架本体に脚Ｃとそして吊り手Ａ４を設置し、脚Ｃには脚把持部Ｃａ、脚可動把持部Ｃｂそして吊り手Ａ４には吊り手把持部Ａ１、Ａ２、と吊り手可動把持部Ａ３を設けた。
【００１６】
階段用担架の脚Ｃに４輪のキャスターを付けて、室内や廊下では座椅子としての使用だけでなく、車椅子としても走行できるようにした。
【００１７】
階段での移送時に、階段上の介護者の階段用担架の移送作業をより容易にし、階段の段差がもたらす介護者の労力を軽減するための複数の把持部のうち、吊り手可動把持部Ａ３、脚可動把持部Ｃｂを伸縮可能構造とした。
【００１８】
各把持部については、移動中の担架の左右のアンバランスを把持部の位置でバランスを矯正できるように、枕幅以上で肩幅である担架幅相当の長さを持たせた。
【００１９】
枕可動フレームＦ３に連結した吊り手Ａ４の最初の一段目の吊り手把持部Ａ1は、枕Ｍ上の要介護人の頭や顔に当たらない程度で階段蹴上げ一段分を離し、二段目の把持部Ａ２は吊り手把持部Ａ１からさらに階段蹴上げ一段分離し、吊り手可動把持部Ａ３は吊り手把持部Ａ２から階段蹴上げの二段分相当分の長さまで、子管式スライド棒Ｐで伸ばすことができるように連結する。吊り手Ａ４の吊り手可動把持部Ａ３は、枕可動フレームＦ３から階段蹴上げ四段分相当の上方の位置、すなわち介護者の平均的な股関節の高さまで伸び、吊り手４の長さは約９０ｃｍ程度とする。
【００２０】
吊り手Ａ４を階段で使用する場合は、ほぼ垂直で階段側に少し傾斜して立て、枕Ｍのネジ穴Ｎ1と吊り手フレームＡの固定ネジＮで固定して、担架を略垂直に階段傾斜に沿って移動する。
【００２１】
支持フレームＦ１に設置した前脚フレームＣ１の脚把持部Ｃａは、支持フレームＦ１から階段蹴上げ一段分相当の間隔をあけて、そして脚可動把持部Ｃｂは、把持部Ｃａよりもさらに階段蹴上げ一段分の長さまで子管式構造のスライド棒Ｐで下方へ伸ばすことができる。前脚フレームＣ１のスライド棒Ｐで伸ばした脚可動把持部Ｃｂは、支持フレームＦ１から垂直に階段蹴上げ二段分相当の位置まで下方に、そしてブレーキ付きキャスターの階段踏み面二段分前方へ伸びる。図面では記していないが、当該子管式スライド棒Ｐには複数のネジ穴Ｎ１があり、前脚フレームＣ１に設置した固定ネジでスライドして固定できる。
【００２２】
コンパクトで短くした階段用担架でありながら、身長の大きな人にも対応して使用できるように、枕Ｍを固定した枕可動フレームＦ３を担架本体フレームＦのパイプ空洞に挿入したスライド棒Ｐでスライドして伸ばして対応できるようにした。図面では記していないが、当該スライド棒Ｐには固定ネジＮ用の複数のネジ穴Ｎ１があり、担架本体フレームＦに設置した固定ネジで担架の身長方向での長さを調整して固定する。
【００２３】
要介護人の担架上での背中への圧点が分散できるように、担架シートＳは、布など適度な柔軟性がありかつ強靭で汚れ防止加工した素材を使用するのがよい。また同等の素材のネット等でも良い。
【００２４】
シートＳを、図５のように要介護人の腰が本体フレームから沈むように弛ませて張ることによって、支持フレームＦ１が要介護人の滑り落ちを防止するように、左右の担架本体フレームＦが、要介護人の左右で臀部から肩までを囲う程度に弛ませた。
【００２５】
担架上で要介護人の頭部及び身体を安定させるために、枕ＭをＵ字形とした。
【００２６】
図面には記していないが、担架上で移動中の要介護人の不用意な動きと転落防止のために、一対の担架本体フレームＦに着脱できるように、胸部から腹部でシートベルトを設置する。
【００２７】
図面には記していないが、前輪であるキャスターＴ１は自在キャスターとし、後輪であるキャスターＴ２は、階段踏み面に乗り上げている間は、回転して階段から脱輪しないようにブレーキ付きキャスターとした。
【００２８】
図面には記されていないが、吊り手Ａ４は枕可動フレームＦ３を軸として回転してシートＳの背面では紐などで固定できるようにし、また吊り手Ａ４と脚Ｃは、収納時には担架本体から着脱可能にした。
【発明の効果】
【００２９】
コンパクトな担架とし架設した担架シートＳを弛ませることで、ハンモックのように要介護人を安定して保持できるので、通常の担架では移送が不可能であったような階段など狭い場所での移動や方向転換が可能になったばかりでなく、通常の担架では滑り落ちてしまう程に担架を前に傾斜させて、すなわち座椅子のようになるまで傾けることができるので、担架全長よりもさらに狭い場所での移送が容易となる。
【００３０】
図５のように、担架シートＳを弛ませたことで要介護人の身体をフレームで前後左右から囲うようになるばかりでなく、あたかもハンモックのように宙吊りとなるので通常の担架や車椅子の前後左右の揺れに対して、要介護人の身体はシートＳに密着してより安定させて移送することができる。
【００３１】
本発明は、介護者が階段の上から下から階段用担架要介護人を移送する際に、複数の介護者用把持部フレームを設け、子管式構造のスライド棒Ｐの長さを任意に調節することで、介護者は、階段用担架の階段下からは、前脚フレームＣ１の脚把持部Ｃａや脚可動把持部Ｃｂを、また階段上からは吊り手Ａ４の吊り手把持部Ａ１、Ａ２、そして吊り手可動把持部Ａ３を、介護者の腰の位置から階段蹴上一段分の距離の範囲で把持部を上下に操作することができる。このことによって介護者は、必要以上に腰を深く屈めたりせず、あるいは無理な背伸びなどの姿勢を強いられことなく移送作業ができるので、介護者の無理な労動を軽減し作業を安全なものにすることができる。
【００３２】
本発明は、介護者が階段の上から下から階段用担架に要介護人を乗せて移動する際に、複数の介護者用把持部を設け、子管式構造のスライド棒の長さを任意に調節することで把持部を使い分けができるので、介護者は平地から階段のような傾斜や大きな段差のある場所においても、要介護人をほぼ安定した一定の状態に保った状態で移送することができる。
【００３３】
吊り手Ａ４を枕Ｍ外側面のネジ穴Ｎ１とフレームＡの固定ネジＮで固定することで、移送の際に階段上で担架本体の前後のぶれ、あるいは要介護人の頭部側で介護者が吊り手を持ち上げ過ぎることによる担架の前方への転倒を防止することができるだけでなく、略垂直移送の際に前後への動きの調節が可能である。
【００３４】
本発明は、把持部に把持しやすい太さと長さを持たせたことで、担架の左右のバランスを矯正して保持し、担架を安定させることができる。
【００３５】
本発明は、シートＳをハンモックのように架設したことで、担架シートＳが移送中の前後左右の揺れを分離し吸収することができるので、車中においての急ブレーキや悪路の横揺れになどに対し、要介護人に優しい担架移送手段を提供することができる。
【００３６】
脚Ｃは、着脱可能なので、より狭い場所での担架移動が可能となる。
【００３７】
介護者が平面で担架を操作する場合は、後脚フレームＣ２の２輪のキャスターで担架を水平に維持したまま移動することが可能で、介護者１名による担架操作が可能である。
【００３８】
担架シートＳを弛ませたことで、要介護人の大腿部と腰から肩までの広い面積がシートＳと密着するので、担架上の要介護人の体圧点を分散させることができる。
【００３９】
前脚フレームＣ１のスライド棒の長さを調整することで、担架本体を座椅子状態から後方にリクライニングし、任意のリクライニング角度を選択できる。
【００４０】
枕ＭをＵ字形としたことで、要介護人の頭部を安定するのみでなく、体全体の不用意な動きを防止でき、担架の中央に保持し易くなる。
【図面の簡単な説明】
【００４１】
【図１】本階段用担架の全体図である。
【図２】図１をスライド棒で伸ばした使用図である。
【図３】各フレームの取り付け角度の配置図である。
【図４】吊り手を、ネジで固定した図である。
【図５】担架を水平に使用した時の説明図である。
【図６】階段で階段用担架を移送する説明図である。
【発明を実施するための形態】
【００４２】
本担架は、１対の担架本体フレームＦと支持フレームＦ１と支持フレームＦ２とからなる長方形で、支持フレームＦ２の外側で担架本体フレームＦのパイプ空洞にスライド棒Ｐを挿入して子管式構造となるスライド棒Ｐの端部に接合した枕可動フレームＦ３で、Ｕ字形状を為して連結した構造からなる長方形である。その支持フレームＦ１と支持フレームＦ２を支点として当該フレームを幅とするシートＳを、ハンモックのように弛みを持たせて架設する。
【００４３】
さらに枕可動フレームＦ３には吊り手Ａ４を、そして臀部側の支持フレームＦ１に脚Ｃを設置し、それらが一体となって階段用担架を構成する。但し、吊り手Ａ４は階段の傾斜に応じて、枕Ｍの外側面ネジ穴とフレームＡの固定ネジで垂直か階段側に傾斜した角度で固定でき、枕可動フレームＦ３を軸として回転することが可能で、図面には記していないが、シートＳの下部へ回転収納し紐等で固定し、枕可動フレームＦ３から着脱できるものとする。
【００４４】
図面には記していないが、脚Ｃも収納時などに、着脱できるものとする。
【００４５】
本担架は、図５のようにシートＳで、要介護人の大腿部と腰が支持フレームＦ１から沈み込む程度の深さに、そして支持フレームＦ２では肩を支持し、枕可動フレームＦ３では頭部を支持するようなコンパクトな構成である。
【００４６】
本担架は、脚Ｃを設けることで座椅子となり、またキャスターＴ１、Ｔ２を設置することによって車椅子となる。また前脚Ｃ１のスライド棒の長さを調節し固定することで、担架本体フレームＦを後方へ倒してリクライニングできる。
【００４７】
本担架の枕可動フレームＦ３に接続した吊り手Ａ４の長さは、子管式構造のスライド棒Ｐをスライドすることで、吊り手可動把持部Ａ３の長さを調節し固定できるように連結されている。吊り手可動把持部Ａ３は、枕可動フレームＦ３から階段蹴上げの４段分相当まで階段上方へ伸びる構成である。
【００４８】
担架臀部側の支持フレームＦ１には脚Ｃがあって、脚を構成する一対の前脚フレームＣ１、後脚フレームＣ２の下端には、それぞれ一対のキャスターＴ１、ブレーキ付きキャスターＴ２を設置する。
【００４９】
吊り手Ａ４の各把持部フレームの太さは、直径にして３ｃｍ前後程度、長さは枕Ｍ幅である約３０ｃｍのパイプからなる。
【００５０】
一対の前脚フレームＣ１には脚把持部Ｃａが連結され、そして前脚フレームＣ１のパイプ空洞にそれぞれスライド棒Ｐを挿入して、その端部に脚可動把持部Ｃｂが連結されていて、更にその両端部にはキャスターＴ１が連結されている。把持部フレームの太さは、直径にして３ｃｍ前後程度、長さは約５０ｃｍとする。
【００５１】
担架シートＳの幅は、支持フレームＦ幅相当の約５０ｃｍとする。
【００５２】
枕可動フレームＦ３から伸ばした吊り手可動把持部Ａ３までの吊り手Ａ４の全長は、約９０ｃｍとする。
【００５３】
担架本体フレームＦの長さＬ１を、約８０ｃｍとする。
【００５４】
前脚フレームＣ１のスライド棒を伸ばさない時、キャスターＴ１先端までの長さＨ１を約３６ｃｍとする。座椅子または車椅子として使用する場合に、容易に座ることのできる高さとした。
【００５５】
前脚フレームＣ１の脚把持部Ｃaは、支持フレームＦ１から階段蹴上げ１段分相当分約２２ｃｍ離して設置する。脚可動把持部Ｃｂは、子管式構造のスライド棒Ｐをスライドして伸ばすことによって階段蹴上げ一段分約２２ｃｍ相当更に伸びて、後脚フレームＣ２からθ２の開き角度約３９°の方向で、支持フレームＦ１から約４４ｃｍ、そしてブレーキ付きキャスターＴ２から階段踏み面二段相当階段から離れて伸びる。
【００５６】
担架の後脚フレームＣ２のブレーキ付きキャスターＴ２先端接地点までの長さを、約５３ｃｍとする。
【００５７】
本担架を側面から見た図３で、一対の担架本体フレームＦと一対の前脚フレームＣ１と一対の後脚フレームＣ２との配置構成は、支持フレームＦ１を支点とすると、開き角度θ１はおよそ１０１°で連結される。但し開き角度θ１は、階段傾斜角度が大きくなると、担架を階段上でブレーキ付きキャスターＴ２と枕可動フレームＦ３の二点支持で安定させるために必然的に大きくなる。
【００５８】
吊り手Ａ４の吊り手把持部Ａ１は、使用時には要介護人の頭部上に位置するので、介護者が把持部を握っても頭部や顔面と接触しないように、枕可動フレームＦ３から相当な距離を設けて設置する。
【００５９】
前脚フレームＣ１の子管式構造からなるスライド棒Ｐの下端に設置されたキャスターＴ１は、スライドして伸ばした後の前脚フレームＣ１の全長であるキャスターＴ１の接地点までのＨ２は、約５８cmである。
【００６０】
吊り手可動把持部Ａ３、脚可動把持部Ｃｂ、及び枕可動フレームＦ３を連結する複数のネジ穴Ｎ１を有するスライド棒Ｐは、それぞれの棒の長さにおいてスライドして、各フレームの固定ネジＮとネジ穴で固定が可能である。
【００６１】
枕Ｍは、移動時の要介護人の頭部を安定し、かつ頭部を回転させても要介護人の鼻が吊り手フレームＡに触れない程度の全長約３０ｃｍ幅を有し、中程中央がＵ字形状に窪んだ形態である。
【００６２】
その他の形態。パイプの材質はカーボングラス材でも良く、長さ、シートＳの幅、脚の長さやθ１及びθ２は、階段傾斜５０度程度の住宅用階段で使用することをモデルとして示したものであるので、座椅子や車椅子あるいはリクライニングして使用できる範囲であれば、担架本体フレームＦの長さ、脚Ｃのフレームの長さ、開き角度θ１、θ２は、原則的に階段の傾斜角度、蹴上げや踏み面のサイズに応じた担架として、また子管式構造のスライド棒の固定方法は変更が可能である。
【実施例１】
【００６３】
本例は、本担架が階段途上にある場合の実施例である。図２のように、吊り手Ａ４の吊り手可動把持部Ａ３をスライドして伸ばし、枕Ｍの外側面のネジ穴Ｎ１と吊り手フレームＡの固定ネジＮで、図６のように要介護人の頭上、階段蹴上の約四段分の垂直上から少し階段側に傾いた位置で固定する。吊り手可動把持部Ａ３の位置は、階段上側で要介護人の頭部が位置する階段踏み面から、二段上に足を置いて直立する介護者が、姿勢を伸ばして腰の高さで吊り手可動把持部Ａ３を把持する高さである。介護者のこの姿勢は、担架を下から上に移動した直後の姿勢であり、担架をこれから下へと移動する直前の姿勢である。すなわち階段用担架を移動する場合の介護者の基本動作は、把持部の位置を腰の高さから階段蹴上にして一段分相当の下の間約２２ｃｍ程度の範囲で、階段一段差においてブレーキ付きキャスターと要介護人の頭部を階段の角にぶつけないように略垂直移動することとなる。介護者は、腰を曲げ過ぎずまた伸ばし過ぎず無理のない動きで、二名の介護者の呼吸が合えば、階段を複数段一気に上下移送することもできる。
【００６４】
介護者が階段用担架を階段下から前脚把持部によって支える場合は、前脚フレームＣ１の脚可動把持部Ｃｂが、支持フレームＦ１の下方約４４センチ離れて、ブレーキ付きキャスターから階段踏み面の二段相当分水平前方で、階段下側の介護者が直立した時の腰の位置に至り、介護者はブレーキ付きキャスターから階段差４段下方の踏み面に両足で立つ。介護者はその姿勢から階上へは片足を１段上げて足の力と腕の力で登り、階下へは片足を１段下げて足の力と腕の力で把持部を操作して担架を階段の上下へ、それぞれ略垂直移動する。
【００６５】
吊り手把持部の長さは約３０ｃｍ、脚把持部長さは約５０ｃｍであるので、把持する位置を左右に選択することで担架の左右のアンバランスを調整することができる。
【００６６】
担架脚Ｃは、図３のように、前脚フレームＣ１と後脚フレームＣ２を開き角度θ２で、後脚フレームＣ２と担架本体フレームＦにおいては開き角度θ１で、座椅子としても安置できるように連結した。階段途上で担架をブレーキ付きキャスターＴ２で階段踏み面に着地させた時、担架上の要介護人の重心位置が、ブレーキ付きキャスターＴ２接地点垂直上から要介護人の頭部階段側に位置するような開き角度θ１とする。このことによって、ブレーキ付きキャスターＴ２と枕可動フレームＦ３の２点支持で、担架を階段上で安置することができるので、階段を滑り落ちることは無い。
【００６７】
階段登り始めにおいて階段上側の介護者は、枕可動フレームＦ３を把持したままブレーキ付きキャスターＴ２を転がして階段三段目に枕可動フレームＦ３もしくは枕を接地する。この時点で階段下側の介護者は、ブレーキ付きキャスターＴ２にブレーキをかける。担架は前記開き角度θ１によってその状態で階段に支持されて安定しているので、この時に吊り手可動把持部Ａ３をスライドして、階段上側の介護者は足を要介護人の頭部の位置する階段踏み面からさらに二段上に立脚して直立した時に、腰の位置に来るように伸ばす。その後介護者は、要介護人の更に一段上に立脚し腰を少し屈めた姿勢で吊り手可動把持部Ａ３を把持し、一段上へ引き上げる。階段下側の介護者は、支持フレームＦ１を把持して最初の階段一段目を、介護者両名がタイミングを合わせて担架を略垂直に上げる。この時要介護人の頭部は、一段登って階段上の介護者の足から一段下の階段に着地する。階段上の介護者は同様の動作を繰り返す。階段下の介護者は次に脚把持部Ｃaを把持して持ち上げ、さらにスライドして伸ばした脚可動把持部Ｃｂを操作して、階段下の介護者が少し腰を屈めて把持する位置から、肢と背筋を伸ばすようにして階段一段上へ持ち上げる。
【００６８】
階段上踊り場に到達した介護者は、吊り手可動把持部Ａ３を階段一段分短縮して、さらにＡ２、Ａ１へと把持部を持ち変えて担架を引き上げ、最終的に枕可動フレームＦ３を支持して、階段上踊り場に担架の後脚のブレーキ付きキャスターを着地させる。その時階段下側の介護者は、脚可動把持部Ｃｂをスライドして前脚を短縮し、ブレーキ付きキャスターのブレーキを解除する。階上の介護者は枕可動フレームＦ３を支持してキャスターを転がして移動し、その後は４輪の車椅子として階上で移動させてもよい。
【００６９】
吊り手Ａ４を、枕側面の固定ネジで担架本体と固定できるようにしているのは、階段移動中の担架を安定するためである。階段の上の介護人の操作が担架を持ち上げすぎる
ことによって担架のバランスを崩し前方への転倒を防止するためには、吊り手Ａ４は持ち
上げるだけでなく、上がり過ぎを抑制する必要もあるからである。
【００７０】
吊り手Ａ４は、平面での移送や車椅子での使用の場合では、担架操作の妨害となることがないように、図５のようにシートＳの裏面に回転収納し、紐等で固定する。
【００７１】
子管式構造のスライド棒の複数のネジ穴Ｎ１は、要介護人や介護者のそれぞれの身長や体形に合わせて、適切な可動把持部の位置を選択するためのものである。
【００７２】
介護者は、自らの身長などを考慮してスライド棒Ｐをスライドして可動把持部を調節し、固定ネジＮと任意のネジ穴Ｎ１で、介護者が担架を上下に操作するのに最も力の入れ易い位置を選択できる。
【００７３】
要介護人の身長に合わせて、枕可動フレームＦ３の子管式スライド棒Ｐをスライドして枕に要介護人の頭部を乗せて、担架フレームＦの固定ネジＮとネジ穴Ｎ１で枕可動フレームＦ３を固定する。
【実施例２】
【００７４】
本例は、脚Ｃの４輪のキャスターを使用して室内や廊下それに道路などで、階段用担架を座椅子または車椅子として使用するものである。この場合は、介護者は要介護人を座椅子または車椅子のようにして乗せて、担架として使用する場合は前後二名の介護者を要したが、一人の介護者で枕可動フレームＦ３を把持して操作することが可能である。
【００７５】
前脚フレームＣ１のスライド棒を、スライドして伸ばし固定することで、座椅子または車椅子から後方へリクライニングした座椅子または車椅子のようにして使用できる。また、リクライニングする好みの角度に調節ができる。
【実施例３】
【００７６】
本例は、後輪のブレーキ付きキャスターＴ２を使用して、室内や廊下それに道路などで、担架本体をほぼ水平にしたまま、移送する実施例である。この場合は、介護者は要介護人を座椅子状態から担架のように寝かせて乗せて、一人の介護者が、枕可動フレームＦ３を把持し、前輪のキャスターを浮かせまま一ブレーキ付きキャスターＴ２を転がして二輪車として担架を操作する。
【産業上の利用可能性】
【００７７】
担架を必要とする要介護人は、身体が骨格的に虚弱であったり、意識がなかったりして、自力で移動できない。こうした場合、家屋内の狭い通路や階段での移送は、階段が急勾配であることによって、通常の長さでは担架の水平が維持できない場合がある。担架が使用できない場合は、背負うなどの方法による外にはないのが実情であるが、身体に拘縮がある場合はそれすらも不可能な場合があるだけでなく、要介護人に傷病上のリスクを強いることになる場合がある。
【００７８】
要介護人である患者等は、救急以外にも日常的な通院や通所などで階段を安全に移動することを望んでいる。しかしながら、日本家屋のような狭い階段で、介護者が安全に操作できると供に要介護人にとっても安心して移送を受ける担架がないので、通院のためですら外出を控えているのが実情である。
【００７９】
老人の在宅介護が増加した結果、自力で階段を移動できない要介護人や急患者等が、狭い廊下や階段上の二階で居住していることが増加している。日本の住居環境では階段に簡易エレベーターなどを設置することもできず、階段での移動リスクは、今後も増大するということができる。
【００８０】
患者等要介護人の階段移動の安全性、移送を担う介護者の労務負担の軽減することのできる担架として考案されたのが、本発明の階段用担架である。この階段用担架は、階段で使用できるばかりでなく、座椅子もしくはリクライニング車椅子として使用し、リフトやスロープなどを備え、車椅子などの固定装置を備えた介護車両へそのまま乗車することで病院へ直行することができる。これは、要介護人にとっても介護者にとっても、階段から車両までの安全快適な移送ツールである。
【符号の説明】
【００８１】
Ｆ：担架本体フレーム
Ｆ１、Ｆ２：支持フレーム
Ｆ３：枕可動フレーム
Ｆ４：担架本体
Ａ：吊り手フレーム
Ａ１、Ａ２：吊り手把持部
Ａ３：吊り手可動把持部
Ａ４：吊り手
Ｃ：脚
Ｃ１：前脚フレーム
Ｃ２：後脚フレーム
Ｃａ：脚把持部
Ｃｂ：脚可動把持部
Ｔ１：キャスター
Ｔ２：ブレーキ付きキャスター
Ｐ：スライド棒
Ｎ：固定ネジ
Ｎ１：ネジ穴
Ｓ：担架シート
Ｍ：枕
Ｌ１：担架本体の長さ
Ｌ２：担架の全長
Ｈ１、Ｈ２：前脚の長さ
θ１、θ２：開き角度